(57)【要約】【課題】作動流体ポンプの駆動に磁極位置センサレスブラシレスモータを用いるとき、モ−タ負荷が急変動した場合でも、モータ回転数を適切に制御できる作動流体ポンプ用モータの制御装置及び制御方法を提供する。【解決手段】作動流体ポンプ２を有するポンプ回路１に、少なくとも２つの流体圧回路３、５を設け、回路切替制御手段９で制御する回路切替手段８により作動流体の供給を切替える。作動流体ポンプ２は、磁極位置センサレスブラシレスモータ７で駆動し、このモータ７に対する制御を上位制御装置２０からの制御指令で行うモータ制御手段１０を備えている。モータ制御手段１０は、上位制御装置１０からの磁極位置センサレスブラシレスモータ７への制御指令値を、流体圧回路３、５が切替えられるモータ負荷急変時に対応させるため、回路切替制御手段９からの回路切替信号に基づき求める制御指令調整値に変更する制御指令値調整部を設けている。【選択図】図１
2008267548.tif 000002
【特許請求の範囲】
【請求項１】
作動流体ポンプを有するポンプ回路と、前記作動流体ポンプを駆動する磁極位置センサレスブラシレスモータと、前記ポンプ回路に設ける少なくとも２つの流体圧回路と、前記流体圧回路のいずれかに作動流体の供給を切替える回路切替手段と、前記回路切替手段を制御する回路切替制御手段と、上位制御装置からの制御指令により前記磁極位置センサレスブラシレスモータに対する制御を行うモータ制御手段とを有し、前記モータ制御手段には、電流制御を行う電流制御部と、三相のインバータ電圧を発生して磁極位置センサレスブラシレスモータを駆動するパルス幅変調インバータと、前記パルス幅変調インバータを制御するブラシレス制御部と、交流三相の二相分のモータ電流を検出する電流検出部と、交流三相の二相分のモータ電流によりモータ実回転数を演算する位置・速度検出演算部を備えた作動流体ポンプ用モータの制御装置において、前記モータ制御手段に上位制御装置からの磁極位置センサレスブラシレスモータへの制御指令値を、前記流体圧回路を切替える際に発生するモータ負荷急変時に、回路切替制御手段からの回路切替信号に基づいて求める制御指令調整値に変更する制御指令値調整部を設けて構成したことを特徴とする作動流体ポンプ用モータの制御装置。
【請求項２】
請求項１において、前記制御指令値調整部は、上位制御装置からの制御指令信号の速度指令値を前記回路切替制御手段からの回路切替信号に基づいて求める速度補正値で補正する機能を有する速度用指令発生部と、実際のモータ回転数を前記速度用指令発生部からの速度補正指令値に反映して速度偏差値を求める速度偏差演算部と、前記速度偏差演算部からの速度偏差値を変換して電流指令値を出力する速度制御部と、前記電流指令値に実際のモータ運転電流値を反映して偏差をとる電流偏差演算部とにより構成したことを特徴とする作動流体ポンプ用モータの制御装置。
【請求項３】
請求項１において、前記制御指令値調整部は、上位制御装置からの制御指令信号の速度指令値と実際のモータ回転数との偏差をとる速度偏差演算部と、前記速度偏差演算部からの速度偏差値を変換して電流指令値を出力する速度制御部と、前記回路切替制御手段からの回路切替信号に基づいて求める補正電流を発生する補正電流発生部と、前記速度制御部からの電流指令値と前記補正電流発生部からの補正電流を加算して得られた値と実際のモータ運転電流とを偏差演算する電流偏差演算部とにより構成したことを特徴とする作動流体ポンプ用モータの制御装置。
【請求項４】
請求項１において、前記制御指令値調整部は、上位制御装置からトルク指令値を切替信号に基づいて求めるトルク補正値で補正してから電流値に変換して電流指令値を出力するトルク用指令発生部と、前記トルク用指令発生部からの電流指令値と実際のモータ運転電流値とを演算する電流偏差演算部とにより構成したことを特徴とする作動流体ポンプ用モータの制御装置。
【請求項５】
作動流体ポンプにより作動流体を供給するポンプ回路に、少なくとも２つの流体圧回路を有し、前記作動流体ポンプは磁極位置センサレスブラシレスモータにより駆動するものであって、前記流体圧回路のいずれかに作動流体の供給を切替えるとき、前記磁極位置センサレスブラシレスモータを制御する制御指令値を、前記流体圧回路の切替え時の回路切替信号に基づいて求める制御指令調整値に変更調整し、変更調整した記制御指令調整値にて前記磁極位置センサレスブラシレスモータを制御することを特徴とする作動流体ポンプ用モータの制御方法。
【請求項６】
請求項５において、前記制御指令調整値への変更調整は、前記流体圧回路の切替え時の回路切替信号に基づいて予め定めた時点で行うことを特徴とする作動流体ポンプ用モータの制御方法。
【請求項７】
請求項５又は６において、前記磁極位置センサレスブラシレスモータの制御は速度制御により行うものであって、前記制御指令調整値は、前記上位制御装置からの速度制御指令値を、前記流体圧回路の切替え時の回路切替信号に基づいて求める値に補正してから電流値に換えて変更調整することを特徴とする作動流体ポンプ用モータの制御方法。
【請求項８】
請求項５又は６において、前記磁極位置センサレスブラシレスモータの制御はトルク制御により行うものであって、前記制御指令調整値は、前記上位制御装置からのトルク制御指令値を、前記流体圧回路の切替え時の回路切替信号に基づいて求める値に補正してから電流値に変換して変更調整することを特徴とする作動流体ポンプ用モータの制御方法。
【発明の詳細な説明】
【技術分野】
【０００１】
本発明は作動流体ポンプ用モータの制御装置及び制御方法に係り、特にポンプ回路に設ける作動流体ポンプの駆動用として磁極位置センサレスブラシレスモータを使用するときに好適な作動流体ポンプ用モータの制御装置及び制御方法に関する。
【背景技術】
【０００２】
通常、自動車等の車両は、変速機やパワーステアリングの駆動用、或いは潤滑用としてオイル等の作動流体のポンプ回路を備えている。作動流体のポンプ回路には、作動流体を供給するために作動流体ポンプを使用し、しかも車輌のポンプ回路は、圧力の異なる流体圧回路を少なくとも２つ設けており、切替弁等の回路切替手段によって流体圧回路を適宜切替え、作動流体を流すようにしている。
【０００３】
従来の作動流体ポンプを用いたポンプ回路では、作動流体として油を用いる場合は、低圧側から高圧側或いは高圧側から低圧側へ、油圧回路を切替えるには、油圧センサで検出された油圧と作動流体ポンプの回転数信号を用いて、油圧操作の切替制御弁により切替えることが行われている。
【０００４】
この種のポンプ回路では、作動流体ポンプの駆動用モータに、ホール素子等の磁極位置センサを用いない磁極位置センサレスブラシレスモータを用いており、これによって小型化できて耐久性（特に高温に対する）を向上できることが知られている（特許文献１及び２参照）。
【０００５】
油圧回路の切替えは、例えば特許文献１に記載されている装置の場合、作動流体ポンプで低圧側の油圧回路に油を流して運転しているときに、油圧が一定値以下に低下すると、作動流体ポンプの回転数を低下させて、回転数がある値以下になると油圧回路を低負荷から高負荷側へ切替え、油圧を高圧力にすることが行われている。
【０００６】
【特許文献１】特開２００６−２２６３５１号公報
【特許文献２】特開２００５−２１４２１６号公報
【発明の開示】
【発明が解決しようとする課題】
【０００７】
上記の如くポンプ回路の作動流体ポンプを駆動するため、磁極位置センサレスブラシレスモータを使用する場合は、磁極位置センサレスブラシレスモータの負荷となる作動流体ポンプに急激な負荷が掛かって過負荷になると、モータ回転数が著しく低下してしまい、運転制御が難しくなってモータ回転数の回復の時間が長くなり、或いは脱調してついには停止してしまう恐れがある。
【０００８】
特に、磁極位置センサレスブラシレスモータでは、この負荷がモータ出力より大きくなると、同期運転制御ができずに脱調現象を起こしてモータが停止し、作動流体ポンプを駆動できなくなる現象が発生するという問題があった。
【０００９】
本発明の目的は、作動流体ポンプの駆動に磁極位置センサレスブラシレスモータを用いる際、モ−タ負荷が急変動した場合でも、モータ回転数を適切に制御できる作動流体ポンプ用モータの制御装置及び制御方法を提供することにある。
【課題を解決するための手段】
【００１０】
本発明の作動流体ポンプ用モータの制御装置は、作動流体ポンプを有するポンプ回路と、前記作動流体ポンプを駆動する磁極位置センサレスブラシレスモータと、前記ポンプ回路に設ける少なくとも２つの流体圧回路と、前記流体圧回路のいずれかに作動流体の供給を切替える回路切替手段と、前記回路切替手段を制御する回路切替制御手段と、上位制御装置からの制御指令により前記磁極位置センサレスブラシレスモータに対する制御を行うモータ制御手段とを有し、前記モータ制御手段には、電流制御を行う電流制御部と、三相のインバータ電圧を発生して磁極位置センサレスブラシレスモータを駆動するパルス幅変調インバータと、前記パルス幅変調インバータを制御するブラシレス制御部と、交流三相の二相分のモータ電流を検出する電流検出部と、交流三相の二相分のモータ電流によりモータ実回転数を演算する位置・速度検出演算部を備える際に、前記モータ制御手段に上位制御装置からの磁極位置センサレスブラシレスモータへの制御指令値を、前記流体圧回路を切替え多彩に発生するモータ負荷急変時に、回路切替制御手段からの回路切替信号に基づいて求める制御指令調整値に変更する制御指令値調整部を設けて構成したことを特徴としている。
【００１１】
好ましくは、前記制御指令値調整部は、上位制御装置からの制御指令信号の速度指令値を前記回路切替制御手段からの回路切替信号に基づいて求める速度補正値で補正する機能を有する速度用指令発生部と、実際のモータ回転数を前記速度用指令発生部からの速度補正指令値に反映して速度偏差値を求める速度偏差演算部と、前記速度偏差演算部からの速度偏差値を変換して電流指令値を出力する速度制御部と、前記電流指令値に実際のモータ運転電流値を反映して偏差をとる電流偏差演算部とにより構成したことを特徴としている。
【００１２】
また好ましくは、前記制御指令値調整部は、上位制御装置からの制御指令信号の速度指令値と実際のモータ回転数との偏差をとる速度偏差演算部と、前記速度偏差演算部からの速度偏差値を変換して電流指令値を出力する速度制御部と、前記回路切替制御手段からの回路切替信号に基づいて求める補正電流を発生する補正電流発生部と、前記速度制御部からの電流指令値と前記補正電流発生部からの補正電流を加算して得られた値と実際のモータ運転電流とを偏差演算する電流偏差演算部とにより構成したことを特徴としている。
【００１３】
更にまた好ましくは、前記制御指令値調整部は、上位制御装置からトルク指令値を切替信号に基づいて求めるトルク補正値で補正してから電流値に変換して電流指令値を出力するトルク用指令発生部と、前記トルク用指令発生部からの電流指令値と実際のモータ運転電流値とを演算する電流偏差演算部とにより構成したことを特徴としている。
【００１４】
本発明の作動流体ポンプ用モータの制御方法は、作動流体ポンプにより作動流体を供給するポンプ回路に、少なくとも２つの流体圧回路を有し、前記作動流体ポンプは磁極位置センサレスブラシレスモータにより駆動するものであって、前記流体圧回路のいずれかに作動流体の供給を切替えるとき、前記磁極位置センサレスブラシレスモータを制御する制御指令値を、前記流体圧回路の切替え時の回路切替信号に基づいて求める制御指令調整値に変更調整し、変更調整した記制御指令調整値にて前記磁極位置センサレスブラシレスモータを制御することを特徴としている。
【００１５】
好ましくは、前記制御指令調整値への変更調整は、前記流体圧回路の切替え時の回路切替信号に基づいて予め定めた時点で行うことを特徴としている。
【００１６】
また好ましくは、前記磁極位置センサレスブラシレスモータの制御は速度制御により行うものであって、前記制御指令調整値は、前記上位制御装置からの速度制御指令値を、前記流体圧回路の切替え時の回路切替信号に基づいて求める値に補正してから電流値に換えて変更調整することを特徴としている。
【００１７】
更にまた好ましくは、前記磁極位置センサレスブラシレスモータの制御はトルク制御により行うものであって、前記制御指令調整値は、前記上位制御装置からのトルク制御指令値を、前記流体圧回路の切替え時の回路切替信号に基づいて求める値に補正してから電流値に変換して変更調整することを特徴とする作動流体ポンプ用モータの制御方法。
【発明の効果】
【００１８】
本発明の作動流体ポンプ用モータの制御装置によれば、簡単な回路構成のモータ制御手段を用いて、流体圧回路の切替え時における磁極位置センサレスブラシレスモータの負荷変動に速やかに対応できる構成にすることができる。
【００１９】
また、本発明の作動流体ポンプ用モータの制御方法では、ポンプ回路中の各流体圧回路への作動流体の供給を切替えるとき、上位制御装置からの速度或いはトルク制御指令値を、切替え時の回路切替信号に基づいて求める制御指令調整値に変更調整し、この制御指令調整値にて前記磁極位置センサレスブラシレスモータを制御するため、作動流体ポンプの駆動に用いる駆動用磁極位置センサレスブラシレスモータを適切に運転制御し、作動流体ポンプの負荷変動に効果的に対応させることができる。
【発明を実施するための最良の形態】
【００２０】
本発明の作動流体ポンプ用モータの制御装置は、作動流体ポンプを有するポンプ回路に、少なくとも２つの流体圧回路を設けており、各流体圧回路は回路切替制御手段で制御する回路切替手段によって作動流体の供給を切替える。作動流体ポンプは、磁極位置センサレスブラシレスモータで駆動するもので、上位制御装置からの制御指令により前記磁極位置センサレスブラシレスモータに対する制御を行うモータ制御手段を備えている。そして、モータ制御手段は、上位制御装置からの磁極位置センサレスブラシレスモータへの制御指令値を、流体圧回路を切替えた際に発生するモータ負荷急変時に対応させるため、回路切替制御手段からの回路切替信号に基づいて求める制御指令調整値に変更調整する制御指令値調整部を設けている。
【実施例１】
【００２１】
以下、本発明の作動流体ポンプ用モータの制御装置及び制御装置について、図１から図１０を用いて説明する。
図１の作動流体ポンプ用モータの駆動装置は、作動流体ポンプ２で油等の作動流体を流すポンプ回路１には、低圧系回路４を介して低圧の流体圧回路３と、高圧系回路６を介して高圧の流体圧回路５の２つを設けた例を示している。作動流体ポンプ２は、磁極位置センサレスブラシレスモータ７の軸７Ａと連結して回転駆動され、所定量の作動流体をポンプ回路１に供給する。
【００２２】
作動流体を供給する流体圧回路３、５の切替えのため、ポンプ回路１に低圧系回路４又は高圧系回路６側に開閉する弁等の回路切替手段８を有しており、この回路切替手段８は回路切替制御手段９からのＯＮ、ＯＦＦの回路切替信号ＶＳで切替え動作し、作動流体をそれぞれ矢印で示すように流して供給する。
【００２３】
作動流体ポンプ２を駆動する磁極位置センサレスブラシレスモータ７は、上位制御装置２０の制御指令信号ＣＳを受けて制御動作するモータ制御手段１０と出力線１０Ａで接続され、出力線１０Ａにより供給される電力により、磁極位置センサレスブラシレスモータ７の回転を制御する。
【００２４】
モータ制御手段１０は、本発明によって例えば図３に示して後述ように構成されている。図３に示すモータ制御手段１０は、上位制御装置２０の制御指令信号ＣＳ及び回路切替制御手段９からの回路切替信号ＶＳの双方を受信し、制御指令信号ＣＳの速度指令値或いはトルク指令値を、回路切替信号ＶＳに基づいて求める制御指令調整値に変更調整するものであり、この調整変更後の制御指令調整値を用いて磁極位置センサレスブラシレスモータ７の回転を制御する。
【００２５】
この図１の作動流体ポンプ用モータの駆動装置では、低圧の流体圧回路３が動作中は、回路切替制御手段９からＯＦＦの回路切替信号ＶＳが、回路切替手段８へ加えられており、同時に回路切替信号ＶＳがモータ制御手段１０にも与えられる。
【００２６】
このとき、作動流体ポンプ２から供給する作動流体は、低圧系回路４、回路切替手段８、低圧の流体圧回路３の経路で循環する。低圧の流体圧回路３に流れる流量は、上位制御装置２０からの制御指令値がモータ制御手段１０に加えられ、磁極位置センサレスブラシレスモータ７を回転させ、作動流体ポンプ２を駆動して制御する。流量の制御量は、上位制御装置２０によって制御される。
【００２７】
次に、上位の流体圧制御装置において、高圧の流体圧回路５への切替動作の必要性を検知した場合には、回路切替制御手段９より回路切替信号ＶＳを発生し、回路切替手段８の操作により高圧系回路６側に切替えられ、作動流体が高圧の流体圧回路５に供給される高圧動作モードとなる。
【００２８】
作動流体を低圧の流体圧回路３又は高圧の流体圧回路５へ供給動作時は、磁極位置センサレスブラシレスモータ７にとっては、それぞれ低負荷と高負荷状態にある。即ち、図２（ａ）に示すように、磁極位置センサレスブラシレスモータ７では、流体圧回路３の低負荷で運転中に、回路切替手段８がＯＦＦからＯＮに切替え操作され、流体圧回路５の高負荷が急激に加わると、破線円Ａ１のようにモータの速度（回転数）が著しく低下する。逆に、流体圧回路５で運転中に、回路切替手段８がＯＮからＯＦＦに切替え操作され、高負荷から低負荷に変わると、破線円Ｂ１のようにモータの速度（回転数）が急上昇する。
【００２９】
磁極位置センサレスブラシレスモータ７の場合、センサレス運転可能な速度（回転数）を下回ると、制御が難しくなって回復に時間を要し、或いは脱調してしまって停止することがある。本発明では、磁極位置センサレスブラシレスモータ7が、図２（ｂ）に示すように低負荷から高負荷、又は高負荷から低負荷に切り換った際に、回路切替信号ＶＳに同期させてモータの制御指令（速度制御指令或いはトルク制御指令）を、モータ制御手段１０部分で変更調整する。この調整した制御指令調整値で磁極位置センサレスブラシレスモータ７を制御すれば、低負荷から高負荷に切替わる際に、破線円Ａ２のようにセンサレス運転可能な速度（回転数）を下回ることがなく、高負荷から低負荷に切替わる際も、破線円Ｂ２のようにモータの速度（回転数）の急上昇も大幅に抑制できる。
【００３０】
本発明に使用する図３に示すモータ制御手段１０は、制御指令値調整部１１を備えている。この制御指令値調整部１１では、上位制御装置２０からの制御指令信号ＣＳや、回路切替制御手段９からの回路切替信号ＶＳ、更には交流三相の二相分のモータ電流を検出する電流検出器１５、１６と接続した電流検出部１７からの実際のモータ運転電流Ｉｑｃ、及び位置・速度検出演算部１８から実際のモータ回転数ω１を受信する。そして、制御指令値調整部１１部分で、制御指令信号ＣＳの速度指令値或いはトルク指令値を、回路切替信号ＶＳに基づいて求める制御指令調整値に変更調整する。
【００３１】
また、モータ制御手段１０内には、制御指令調整値を受信して電流制御を行う電流制御部１２と、三相のインバータ電圧を発生してパルス幅変調インバータ（以下、「ＰＷＭＩＮＶ」と称する）１４を制御するため、ブラシレス制御部１３とを備えており、ＰＷＭＩＮＶ１４の駆動制御で磁極位置センサレスブラシレスモータ７を回転制御する構成にしている。
【００３２】
モータ制御手段１０中の制御指令値調整部１１は、速度指令で動作させる速度制御型とトルク指令で動作させるトルク制御型が使用できる。速度制御型を用いるときには、例えば図４（ａ）や（ｂ）に示した回路構成を使用し、トルク制御型を用いるときは例えば図５にそれぞれ例を示した回路構成を使用し、制御指令調整値に変更する。
【００３３】
速度制御型の図４（ａ）の制御指令値調整部１１には、速度用指令発生部２１を設けている。速度用指令発生部２１は、上位制御装置２０からの制御指令信号ＣＳ（速度指令値ω）及び回路切替制御手段９からの回路切替信号ＶＳの双方を受け、回路切替信号ＶＳに基づいて速度補正値Δωを求め、速度指令値ωを速度補正値Δωで補正する機能を有している。
【００３４】
この速度補正値Δωは、図６に示すように負荷が同一であれば実際のモータ回転数ω１と相関関係がある。また、負荷はよく知られているように、モータ回転数や作動流体の温度等に依存する。このため、負荷切替え時に必要な速度補正値Δωは、予め実験やシミュレーション等で求めて記録したテーブルを制御指令値調整部１１内に備え、回路切替信号ＶＳを受けたときにテーブルを参照して求めて使用する。そして、制御指令値調整部１１では、速度指令値ωを速度補正値Δωで補正した速度補正指令値ωｒ（＝ω＋Δω）を出力する。
【００３５】
また、制御指令値調整部１１内には速度偏差演算部２２や速度制御部２３や電流偏差演算部２４が備えている。速度偏差演算部２２は、位置・速度検出演算部１８からの実際のモータ回転数ω１を速度補正指令値ωｒに反映して速度偏差値を求め、速度制御部２３では速度偏差値を変換して電流指令値Ｉｑを出力し、更に電流偏差演算部２４では電流検出部１７からの実際のモータ運転電流値Ｉｑｃを、電流指令値Ｉｑに反映して偏差をとるように動作し、制御指令調整値を出力する。
【００３６】
また別の速度制御型の図４（ｂ）の制御指令値調整部１１は、図４（ａ）の速度用指令発生部２１に相当する部分を省略する代りに、回路切替信号ＶＳに基づいて補正電流を発生する補正電流発生部２５を、速度制御部２３と電流偏差演算部２４の間に設けたものである。これ以外の他の部分は図４（ａ）の構成要素と同一なので説明を省略する。補正電流発生部２５は、トルク補正値Δτを求める補正トルク検出部２５Ａと、トルク補正値Δτを電流値に変換する電流変換部２５Ｂと、電流変換部２５Ｂで変換した電流値に変換電流指令値Ｉｑを加算演算する電流加算演算部２５Ｃを有している。
【００３７】
トルク制御型の図５の制御指令値調整部１１は、トルク用指令発生部２６と、図４（ａ）、（ｂ）と同様な電流偏差演算部２４を備えて構成している。トルク用指令発生部２６は、上位制御装置２０からの制御指令信号ＣＳ（トルク指令値τｃ）及び回路切替制御手段９からの回路切替信号ＶＳの双方を受け、トルク指令値τｃに回路切替信号ＶＳに基づき求まるトルク補正値Δτを加えて補正し、これを変換して電流指令値Ｉｑを出力する機能を有している。
【００３８】
トルク補正値Δτも上記と同様に、図７に示す如く同一負荷であれば、実際のモータ回転数ω１と相関関係があるから、予め実験やシミュレーション等で求めて記録したテーブルをトルク用指令発生部２６内に備え、回路切替信号ＶＳを受けたときにテーブルを参照し、トルク補正値Δτを求めて使用する。
【００３９】
次に、本発明に速度制御型のモータ制御手段１０を使用した磁極位置センサレスモータ７の制御動作について説明する。ポンプ回路１の低圧の流体圧回路３に作動流体を供給する低負荷運転中に、上位油圧制御装置２０から速度用指令発生部２１に速度指令値ωが入力されると、回路切替信号ＶＳに基づいて求めた速度補正値Δωで補正した速度用指令発生部２１の速度補正指令値ωｒと、位置・速度検出演算部１８からの出力である実際の回転数ω１とを速度偏差部２２で偏差をとる。
【００４０】
この偏差出力信号を、速度制御部２３において変換して電流指令値Ｉｑを出力し、この電流指令値Ｉｑと電流検出部１７からの実際のモータ運転電流値Ｉｑｃとの偏差をとって、制御指令調整値にし、電流制御部１２においてモータ速度が一定となるように補正制御を行うための電流制御をする。ブラシレス制御部１３では、電流制御部１２の出力により、三相のインバータ電圧を発生し、ＰＷＭＩＮＶ１４を駆動して磁極位置センサレスブラシレスモータ７を回転させて制御を実施する。
【００４１】
この場合に、磁極位置センサレスモータ７への交流三相の二相電流分は、電流検出器１５、１６により検出されて、電流検出部１７からモータ運転電流値Ｉｑｃとして出力され、電流偏差演算部２４に反映される。また、同様に電流検出器１５、１６で検出された交流の二相電流分を基に、位置・速度検出演算部１８で位相及び速度の演算が行われ、出力された実際のモータ回転数ω１が、速度偏差演算部２２に反映される。
【００４２】
トルク制御型のモータ制御手段１０を使用した場合の制御動作は、以下のようになる。ポンプ回路１の低圧の流体圧回路３に作動流体を供給する低負荷運転中に、上位油圧制御装置２０からトルク指令値τｃがトルク用指令発生部２６に入力され、トルク用指令発生部２６から電流指令値Ｉｑが出力されると、電流偏差演算部２４ではトルク電流指令値Ｉｑと電流検出部１７の実際のモータ運転電流値Ｉｑｃとの偏差をとって、制御指令調整値に変更調整する。その後は、上記速度制御型と同様に動作する電流制御部１２やブラシレス制御部１３を経てＰＷＭＩＮＶ１４を駆動し、磁極位置センサレスブラシレスモータ７の回転制御を実施する。
【００４３】
速度制御型のモータ制御手段１０において、低負荷から高負荷側に運転状態が切替わる制御動作を、図８で説明する。速度指令値ωが一定状態で、モータを駆動しモータ実回転数ω１で回転中に、回路切替信号が低負荷信号Ｌから高負荷信号Ｈに替わると、速度補正値Δωが加わり、速度指令値ωは速度補正指令値ωｒ（ω＋Δω）となる。その時点でモータ負荷は、低負荷から高負荷側へ切替え操作されるが、回路切替手段８の動作や流体圧回路等の動作遅れにより、一定時間ｔ１後に高負荷に切替わる。
【００４４】
またモータの実回転数ω１は、流体圧回路の負荷が加わる動作より先にΔω分だけ増加する。一定時間ｔ１の経過後、高負荷となってモータ回転数ω１が負荷とつりあう速度ＳＲまで低下するが、制御可能で脱調等の問題を起こすことのない最低回転数ＲＬ以上を確保しているので、磁極位置センサレスモータ７を問題なく制御駆動できる。
【００４５】
同様に高負荷から低負荷側へ運転状態に切替わる制御動作の場合は、負荷の切替わりが遅れるので、回路切替信号と同期させずに、回路切替信号が高負荷信号Ｈから低負荷信号Ｌへ切替わった一定時間ｔ１後、速度指令値ωに下げるようにする。この方法により、モータ実回転数ω１の急激な上昇を防止することができる。
【００４６】
次に、トルク制御型のモータ制御手段１０において、低負荷から高負荷運転状態に切替わる制御動作を、図９で説明する。トルク指令値τｃが一定状態でモータを駆動しモータ実回転数ω１で回転中、回路切替信号が低負荷信号Ｌから高負荷信号Ｈに切替わると、トルク指令値τｃはトルク補正値Δτが加わり、補正されたトルク補正指令値（τｃ＋Δτ）となる。その時点で回路切替信号は発生しているが、低軽負荷から高負荷側へ切替えは、上記と同様に回路切替手段８の動作や流体圧回路等の動作遅れにより、一定時間ｔ１後に高負荷側に切替わる。
【００４７】
モータの実回転数ω１は、流体圧回路の動作より速く負荷と釣り合うような速度まで急上昇する。一定時間ｔ１経過後、高負荷となりモータの実回転数ω１は負荷とつりあう速度ＳＲまで低下するが、脱調する最低回転数ＲＬ以上を確保しているので、上記した速度制御型と同様に問題なく駆動制御することができる。
【００４８】
また、逆に高負荷から低負荷へ切替える場合は、負荷の切替わりが遅れるので、回路切替信号が高負荷信号Ｈから低負荷信号Ｌとなるのに同期させずに、回路切替信号ＶＳが高負荷から低負荷へ切替わった一定時間ｔ１後、トルク指令値τｃに下げるようにする。これによりモータ実回転数ω１の急激な上昇を防止することができる。
【００４９】
別の例である図１０の動作特性は、磁極位置センサレスブラシレスモータ７が、脱調現象等の問題を起こし易くなる低負荷から高負荷へ切替わる場合のみ、速度指令値ω或いはトルク指令値τｃを上昇させる場合を示したものである。回路切替信号が低負荷信号Ｌから高負荷信号Ｈへ発生と同時に、速度指令値ω或いはトルク指令値τｃを、急速に落ち込んだ速度（回転数）が定常となるのに必要な一定時間ｔｄの間上昇させる。つまり、負荷が低負荷から高負荷へ切替わった後、指令値を元に戻すものである。
なお、速度指令値ω或いはトルクτｃを、補正上昇させる一定時間ｔｄは、作動流体ポンプ用モータの制御装置によって最適値を決定することが必要であるが、通常の回路切替は、１〜２ｓ程度であれば良い。
【００５０】
また、上記の説明においては、軽負荷から高負荷側へ切替える時の速度及びトルク上昇は、回路切替信号に同期させて発生させているが、作動流体ポンプ用モータの制御装置によっては、回路切替信号（低負荷信号Ｌ／高負荷信号Ｈ）と速度指令値ω及びトルク指令値τｃを上昇させるタイミングは、必要に応じて一定期間遅らせても制御に何ら問題はなく行うことができる。
【００５１】
この制御動作によっても、磁極位置センサレスブラシレスモータ７のモータ実回転数ω１は、駆動可能な最低回転数ＲＬが確保できるため、高負荷運転時においても磁極位置センサレスブラシモータの駆動制御が可能である。
【００５２】
なお、磁極位置センサレスブラシレスモータ７に高負荷が加わる場合には、回路切替信号を用いてモータ制御指令の上昇と回路切替手段の切替を同時のタイミングで行っても、作動流体の圧系の動作が遅れるので、作動流体ポンプ２を駆動する磁極位置センサレスブラシレスモータ７の回転が先に上昇するために脱調等の問題を起こすことなく動作する。また、高負荷が加わった場合のモータ制御指令値（制御量）は、負荷の大きさや加わる速度を、予め求めた値を用いれば、負荷に応じた最適な制御指令を与えることができる。
【００５３】
以上は速度制御型の補正の方法を例に説明したが、トルク制御型による補正方法の場合のも同様であり、図１０に示す動作特性における作動流体ポンプの負荷とモータ回転数とトルク指令補正値を設定することで実現することができる。
【実施例２】
【００５４】
本発明の他の実施例である図１１に示す作動流体ポンプ用モータの駆動制御装置は、ポンプ回路１に作動流体ポンプ２を１台使用している。ポンプ回路１には、それぞれ回路切替制御手段９で操作される回路切替手段３２ａ、…、３２ｎを介在させる流体管路３１ａ、…、３１ｎに、複数の流体圧回路３０ａ、…、３０ｎを設けたものである。作動流体ポンプ２は、図１の実施例と同様に磁極位置センサレスブラシレスモータ７で駆動され、また磁極位置センサレスブラシレスモータ７も、上位制御装置２０に連なる上記した本発明のモータ制御手段１０によって駆動制御される。
【００５５】
各回路切替手段３２ａ、…、３２ｎは、回路切替制御手段９からの回路切替信号ＶＣａ、…、ＶＣｎにより開閉され、これらの信号は同時にモータ制御手段１０側にも入力される。また、流体管路３１ａには、流量センサ３３を設けており、流量の情報もモータ制御手段１０へ入力される。
【００５６】
この複数の流体圧回路と複数の回路切替手段を備えた作動流体ポンプ用モータの駆動装置の動作について、以下に説明する。
上位装置からの制御指令が発生すると、この信号はモータ制御手段１０や回路切替制御手段９に入力される。回路切替制御手段９では、複数の流体圧回路３０ａ、…、３０ｎのどの負荷を駆動するかを決定し、回路切替手段３２ａ、…、３２ｎへの操作信号ＶＣａ、…、ＶＣｎによって選択される。また同時に、回路切替手段の操作信号ＶＣａ、…、ＶＣｎは、モータ制御手段１０へも送られる。
【００５７】
流体圧回路３０ａ、…、３０ｎの負荷は、それぞれ同じ場合もあるが、異なる場合もあり、負荷の状態は図６に示すごとく負荷Ｒとモータ回転数ω１の関係は同一負荷であると相関関係がある。このため、既に述べたように事前に各々の負荷とモータ回転数ω１の関係を求めておき、このデータをもとに作成して記録したテーブルを活用し、モータ制御手段１０内で補正変更した制御指令調整値を活用する。
【００５８】
上位制御装置２０からモータ制御手段１０に対し、速度指令値ωが加えられ最終的に磁極位置センサレスブラシレスモータ７を駆動制御し、作動流体ポンプ２を回転駆動する。一方、同様に回路切替手段９へも制御指令が入力し、回路切替制御手段９において、例えば回路切替信号ＶＣａが選択されると、回路切替手段３２ａが操作されて負荷の流体圧回路３０ａが接続される。また、回路切替信号ＶＣａは、モータ制御手段１０へ入力され、ここで速度指令値ωはテーブルを参照して変更した制御指令調整値が求められ、この制御指令調整値を活用して磁極位置センサレスブラシレスモータ７の駆動制御が行われ、これにより上記した実施例と同様な効果を達成できる。
なお、負荷の流体圧回路が一つの場合には、速度指令補正量は小さく、速度指令値ωに応じて作動流体ポンプ２は駆動される。
【００５９】
流体圧回路が複数使用する場合、例えば流体圧回路３１ａを運転中に、他の流体圧回路３０ｃと３０ｄの２つに作動流体を供給して使用とする。切替制御手段９からの回路切替信号ＶＣｃ、ＶＣｄで、回路切替手段３２ｃと３２ｄが動作操作されると同時に、モータ制御手段１０側では、速度指令値ωが回路切替信号に基づいて求める制御指令調整値に変更調整され、この制御指令調整値で磁極位置センサレスブラシレスモータ７を、流体圧回路の負荷増加による速度の落ち込まないように速度制御し、作動流体ポンプ２の流量を確保する。
【００６０】
上記図１１の実施例においては、回路切替手段切替制御装置からの回路切替信号ＶＣａ、…、ＶＣｎを、回路切替手段３２ａ、…、３２ｎとモータ制御手段１０へ同一信号を加えているが、負荷の状態に応じて最適値に遅らせることもできる。
【００６１】
なお、上記した本発明の各実施例では、モータ制御手段１０部分で回路切替信号に基づいて求まる制御指令調整に変更調整する例で説明したが、モータ制御手段１０全体或いは速度用指令発生部やトルク用指令発生部を、上制御装置２０内に組み込み、上制御装置２０で回路切替信号に基づいて求まる制御指令調整に変更調整させても良く、この場合でも同様な効果を達成することができる。
【図面の簡単な説明】
【００６２】
【図１】本発明の一実施例である作動流体ポンプ用モータの駆動装置を示す概略構成図である。
【図２】本発明を適用する磁極位置センサレスブラシレスモータの動作説明図である。
【図３】図１の要部の詳細を示すブロック図である。
【図４】（ａ）及び（ｂ）はそれぞれ図３における速度制御型の制御指令調整部の例を示すブロック図である。
【図５】図２におけるトルク制御型の制御指令調整部の例を示すブロック図である。
【図６】図４の速度制御型の動作を説明する特性図である。
【図７】図５のトルク制御型の動作を説明する特性図である。
【図８】本発明を適用した速度制御型の磁極位置センサレスブラシレスモータの制御動作説明図である。
【図９】本発明を適用した他の例である速度制御型の磁極位置センサレスブラシレスモータの制御動作説明図である。
【図１０】本発明を適用した別の磁極位置センサレスブラシレスモータの制御動作説明図である。
【図１１】本発明の他の実施例である作動流体ポンプ用モータの駆動装置を示す概略構成図である。
【符号の説明】
【００６３】
１…ポンプ回路、２…作動流体ポンプ、３…低圧の流体圧回路、５…高圧の流体圧回路、７…磁極位置センサレスブラシレスモータ、８、３２ａ、…、３２ｎ…回路切替手段、９…回路切替制御手段、１０…モータ制御手段、１１…制御指令値調整部、１２…電流制御部、１３…ブラシレス制御部、１４…パルス幅変調インバータ、１５、１６…電流検出器、１７…電流検出部、１８…位置・速度検出演算部、２０…上位制御装置、２１…速度用指令発生部、２２…速度偏差演算部、２３…速度制御部、２４…電流偏差演算部、２５…補正電流発生部、２６…トルク用指令発生部、３０ａ、…、３０ｎ…流体圧回路。
【図１】
2008267548.tif 000003
【図２】
2008267548.tif 000004
【図３】
2008267548.tif 000005
【図４】
2008267548.tif 000006
【図５】
2008267548.tif 000007
【図６】
2008267548.tif 000008
【図７】
2008267548.tif 000009
【図８】
2008267548.tif 000010
【図９】
2008267548.tif 000011
【図１０】
2008267548.tif 000012
【図１１】
2008267548.tif 000013